(57)【要約】【課題】ストレーナのメンテナンス時に工具等を用いずに手動でストレーナを取外すことができること。【解決手段】第１流路６１に脱着可能に取り付けられ、第１流路６１の上流側から流れ込む流水をその外周に設けられた濾過材８１３の内側から外側に通過させて第２流路６２に導くことで流水中の異物を除去する筒状のストレーナ８と、ストレーナ８よりも上流側からストレーナ８の内側にまで延びて設けられ、一端部が第１流路６１を開閉する止水栓部材７と、止水栓部材７の他端部に取付けられた止水操作部９と、を備え、ストレーナ８は、工具を用いずに作業者が手動で直接第１流路６１に対してストレーナ８を脱着操作可能とし本体部６の外部に配置されるストレーナ操作部８４を有する止水栓装置５０である。【選択図】図６
2017060929.tif 000002
【特許請求の範囲】
【請求項１】
第１流路と、前記第１流路の下流側に連通し前記第１流路と交差する方向に延びる第２流路と、を内部に有する本体部と、
前記第１流路に脱着可能に取り付けられ、前記第１流路の上流側から流れ込む流水をその外周に設けられた濾過材の内側から外側に通過させて第２流路に導くことで流水中の異物を除去する筒状のストレーナと、
前記ストレーナよりも上流側から前記ストレーナの内側にまで延びて設けられ、一端部が前記第１流路を開閉する止水栓部材と、
前記止水栓部材の他端部に取付けられた止水操作部と、を備え、
前記ストレーナは、工具を用いずに作業者が手動で直接前記第１流路に対して前記ストレーナを脱着操作可能とし前記本体部の外部に配置されるストレーナ操作部を有する止水栓装置。
【請求項２】
前記止水操作部は、工具を用いずに作業者が手動で直接操作可能であり、前記止水栓部材の他端部に脱着可能に嵌合されて取付けられている、請求項１に記載の止水栓装置。
【請求項３】
前記止水栓部材の他端部は、多角柱形状を有しており、
前記止水操作部は、一端が閉塞され他端から前記止水栓部材の他端部を挿入可能な嵌合円筒状部を有し、
前記嵌合円筒状部の一端近傍の内周面の部分には、前記止水栓部材の他端部が前記嵌合円筒状部に挿入されて前記嵌合円筒状部の一端近傍に位置するときに、前記止水栓部材の他端部の側面に当接する奥側当接壁部が設けられ、
前記嵌合円筒状部の他端近傍の内周面の部分には、前記止水栓部材の他端部の側面に当接可能であり、前記奥側当接壁部よりも前記嵌合円筒状部の内周面からの前記嵌合円筒状部の半径方向内方への突出量が小さい開口寄り当接壁部が設けられている、請求項２に記載の止水栓装置。
【請求項４】
前記止水栓部材の他端部は、Ｒ面取り形状又はＣ面取り形状を有している請求項２又は請求項３に記載の止水栓装置。
【請求項５】
前記止水操作部が前記止水栓部材の他端部に取付けられているときに、前記ストレーナ操作部は、前記止水操作部によって覆われている請求項２〜請求項４のいずれかに記載の止水栓装置。
【発明の詳細な説明】
【技術分野】
【０００１】
本発明は、止水栓装置に関する。より詳しくは、ストレーナを備える止水栓装置に関する。
【背景技術】
【０００２】
従来、流路を開閉する止水栓部材が設けられた流路内に、筒状のストレーナが取り付けられた止水栓装置が知られている（例えば、特許文献１参照）。この止水栓装置では、流路内に流れ込んだ流水を、ストレーナの内側から外側に通過させることにより、流水中の異物が除去される。
【先行技術文献】
【特許文献】
【０００３】
【特許文献１】特開２００９−０３０７８２号公報
【発明の概要】
【発明が解決しようとする課題】
【０００４】
しかしながら、従来の止水栓装置では、止水弁を開閉するためのハンドル部と、ストレーナを保持する保持部材と、が接続されているため、ストレーナのメンテナンス時にはスパナ等の工具を使用しないと、止水弁を閉じた状態のときに、流路を形成している本体部からストレーナを取り外すことができない。
【０００５】
本発明は上記に鑑みてなされたものであり、その目的は、ストレーナのメンテナンス時に工具等を用いずに手動でストレーナを取外すことができることにある。
【課題を解決するための手段】
【０００６】
上記目的を達成するため本発明は、第１流路（例えば、後述の第１流路６１）と、前記第１流路の下流側に連通し前記第１流路と交差する方向に延びる第２流路（例えば、後述の第２流路６２）と、を内部に有する本体部（例えば、後述の本体部６）と、前記第１流路に脱着可能に取り付けられ、前記第１流路の上流側から流れ込む流水をその外周に設けられた濾過材（例えば、後述のメッシュ８１３）の内側から外側に通過させて第２流路に導くことで流水中の異物を除去する筒状のストレーナ（例えば、後述のストレーナ８）と、前記ストレーナよりも上流側から前記ストレーナの内側にまで延びて設けられ、一端部が前記第１流路を開閉する止水栓部材（例えば、後述の止水栓部材７）と、前記止水栓部材の他端部に取付けられた止水操作部（例えば、後述のハンドル部９）と、を備え、前記ストレーナは、工具を用いずに作業者が手動で直接前記第１流路に対して前記ストレーナを脱着操作可能とし前記本体部の外部に配置されるストレーナ操作部（例えば、後述の平行切欠き状部８４６）を有する止水栓装置（例えば、後述の止水栓装置５０）を提供する。
【０００７】
前記止水操作部は、工具を用いずに作業者が手動で直接操作可能であり、前記止水栓部材の他端部に脱着可能に嵌合されて取付けられていることが好ましい。
【０００８】
前記止水栓部材の他端部（例えば、後述の四角柱形状部７５）は、多角柱形状を有しており、前記止水操作部は、一端が閉塞され他端から前記止水栓部材の他端部を挿入可能な嵌合円筒状部（例えば、後述の嵌合円筒状部９４）を有し、前記嵌合円筒状部の一端近傍の内周面の部分には、前記止水栓部材の他端部が前記嵌合円筒状部に挿入されて前記嵌合円筒状部の一端近傍に位置するときに、前記止水栓部材の他端部の側面に当接する奥側当接壁部（例えば、後述の奥側当接壁部９４１）が設けられ、前記嵌合円筒状部の他端近傍の内周面の部分には、前記止水栓部材の他端部の側面に当接可能であり、前記奥側当接壁部よりも前記嵌合円筒状部の内周面からの前記嵌合円筒状部の半径方向内方への突出量が小さい開口寄り当接壁部（例えば、後述の開口寄り当接壁部９４２）が設けられていることが好ましい。
【０００９】
前記止水栓部材の他端部（例えば、後述の四角柱形状部７５）は、Ｒ面取り形状又はＣ面取り形状（例えば、後述の面取り部７５ａ）を有していることが好ましい。また、前記止水操作部が前記止水栓部材の他端部に取付けられているときに、前記ストレーナ操作部は、前記止水操作部によって覆われていることが好ましい。
【発明の効果】
【００１０】
本発明によれば、ストレーナのメンテナンス時に工具等を用いずに手動でストレーナを取外すことができる止水栓装置を提供できる。
【図面の簡単な説明】
【００１１】
【図１】本発明の一実施形態に係る止水栓装置５０を備える便器装置１００の側面図である。
【図２】上記実施形態に係る止水栓装置５０を備える便器装置１００の正面図である。
【図３】上記実施形態に係る止水栓装置５０の斜視図である。
【図４】上記実施形態に係る止水栓装置５０の分解斜視図である。
【図５】上記実施形態に係る止水栓装置５０からハンドル部９を取外した様子を示す斜視図である。
【図６】上記実施形態に係る止水栓装置５０の閉状態における縦断面斜視図である。
【図７】上記実施形態に係る止水栓装置５０の開状態における縦断面斜視図である。
【図８】上記実施形態に係る止水栓装置５０の閉状態においてハンドル部９及びストレーナ８を取外した様子を示す縦断面斜視図である。
【図９】上記実施形態に係る止水栓装置５０のハンドル部９を示す底面図である。
【図１０】上記実施形態に係る止水栓装置５０のハンドル部９を示す下方斜視図である。
【発明を実施するための形態】
【００１２】
以下、本発明の一実施形態について、図面を参照しながら詳細に説明する。
図１は、本発明の一実施形態に係る止水栓装置５０を備える便器装置１００の側面図である。図２は、上記実施形態に係る止水栓装置５０を備える便器装置１００の正面図である。
【００１３】
これら図１及び図２に示すように、本実施形態に係る止水栓装置５０は、外部からトイレルームＲ内の床Ｆまで引き込まれた給水元管（不図示）と、後述する便器装置１００の給水管４１とを連結する。また、止水栓装置５０は、給水管４１の通水と止水とを切り替える機能を有する。
【００１４】
先ず、便器装置１００について説明する。
便器装置１００は、図１に示すように、便器部１０と、機能部３０とを備えており、外部の給水源から供給される洗浄水が、便器部１０の内部に設けられた洗浄水タンクに貯留される。
【００１５】
次に、本実施形態に係る止水栓装置５０について、図３〜図９を参照して説明する。
ここで、図３は、上記実施形態に係る止水栓装置５０の斜視図である。図４は、上記実施形態に係る止水栓装置５０の分解斜視図である。図５は、上記実施形態に係る止水栓装置５０からハンドル部９を取外した様子を示す斜視図である。図６は、上記実施形態に係る止水栓装置５０の閉状態における縦断面斜視図である。図７は、上記実施形態に係る止水栓装置５０の開状態における縦断面斜視図である。図８は、上記実施形態に係る止水栓装置５０の閉状態においてハンドル部９及びストレーナ８を取外した様子を示す縦断面斜視図である。図９は、上記実施形態に係る止水栓装置５０のハンドル部９を示す底面図である。図１０は、上記実施形態に係る止水栓装置５０のハンドル部９を示す下方斜視図である。
【００１６】
図３に示すように、止水栓装置５０は、本体部６と、止水栓部材７と、ストレーナ８と、ハンドル部９と、を備える。止水栓部材７、ストレーナ８及びハンドル部９はいずれも、後述する本体部６の第１流路６１と同軸Ｘ上に配置される。
【００１７】
本体部６は、第１流路６１と、第２流路６２と、を備える。第１流路６１は、上下方向に直線状に延びる略円筒状の配管により構成される。第２流路６２は、第１流路６１の下流端（図４では上端）に連通し、第１流路６１と直交する水平方向に延びる略円筒状の配管により構成される。即ち、第１流路６１と第２流路６２は、互いの中心軸Ｘ，Ｙ同士が直交して連通している。
【００１８】
第１流路６１の上流側（図４では下方）は、下流側と比べて外径が小さく形成され、床Ｆに形成された取り付け孔（不図示）に挿通される。また、第１流路６１の上流端の外周には雄ねじ部６１ａが形成され、この雄ねじ部６１ａに給水元管（不図示）側の雌ねじが螺合される。これにより、第１流路６１の上流端に給水元管が接続され、給水元管から供給される水が第１流路６１内に供給される。
【００１９】
図４〜図６に示すように、第１流路６１は、上流側に設けられた上流側流路６１１と、下流側に設けられた下流側流路６１２と、これら上流側流路６１１と下流側流路６１２との間に設けられた止水孔部６１３と、を有する。
【００２０】
上流側流路６１１は、下流側流路６１２よりも内径が小さく、その軸Ｘ方向において径は一定である。この上流側流路６１１には、給水元管から水が供給される。
【００２１】
下流側流路６１２は、上流側流路６１１よりも内径が大きく形成される。この下流側流路６１２には、後述するようにその下流側（下流端）から軸Ｘ方向に内周面に沿ってストレーナ８が挿入されて収容される。そのため、下流側流路６１２の内周形状は、ストレーナ８の外周形状に沿った形状となっている。即ち、後述するストレーナ８の小径部８１１及び大径部８１２に対応して、下流側流路６１２には、上流側に設けられた小径流路６１２ａと、下流側に設けられ小径流路６１２ａよりも内径が大きい大径流路６１２ｂが設けられている。これにより、下流側流路６１２の内周面とストレーナ８の大径部８１２の外周面との間には僅かな隙間しか形成されず、ストレーナ８の大径部８１２がガイドの機能を発揮するため、挿入時にストレーナ８が傾くのが抑制される。
【００２２】
また下流側流路６１２の下流端の内周（図３における第２流路６２のよりも上側の内周）には、雌ねじ部６１２ｃが形成されている。この雌ねじ部６１２ｃには、後述するストレーナ８のストレーナホルダ８４の上流端外周（ストレーナホルダ８４の下端部外周）に形成された雄ねじ部８４１が螺合する。
【００２３】
止水孔部６１３は、止水孔６１３ａと、弁座６１３ｂと、雌ねじ部６１３ｃとから構成される。
止水孔６１３ａは、上流側流路６１１よりもさらに小径の孔により形成される。弁座６１３ｂは、下流側ほど拡径するテーパ状に形成され、後述する止水栓部材７の先端に設けられた駒弁７１が着座する。これにより、止水孔６１３ａが閉じられて止水される。雌ねじ部６１３ｃには、止水栓部材７の雄ねじ部７２が螺合する。
【００２４】
ここで、下流側流路６１２の上流端の底面部６１２ｅには、一対の通水部（図示せず）が、上流側に（図６における下方に）窪んで形成されている。これにより、後述する止水栓部材７の先端に設けられた駒弁７１が弁座６１３ｂから脱座しているときには、下流側流路６１２内に通水されるようになっている。
【００２５】
図３〜図６に示すように、第２流路６２の下流端の外周には、溝部６２ａが形成される。この溝部６２ａに上述の給水管４１が嵌合されることで、第２流路６２に給水管４１が接続される。第２流路６２は、第１流路６１の下流側流路６１２に接続されて互いに連通している。
【００２６】
図４に示すように、止水栓部材７は、全体として略円柱状に形成される。止水栓部材７は、駒弁７１と、雄ねじ部７２と、軸部材７３と、を有する。この止水栓部材７は、第１流路６１を開閉する機能を有する。止水栓部材７の軸Ｘ方向長さは、上述の下流側流路６１２の軸Ｘ方向長さよりも長く設定され、止水栓部材７は、後述するストレーナ８よりも上流側からストレーナ８の内側を通ってその下流端（図６における上端）にまで延びている。
【００２７】
駒弁７１は、止水栓部材７の先端に設けられ、ねじ７ａにより軸部材７３の先端に取り付けられる。この駒弁７１が上述の弁座６１３ｂに着座することにより、第１流路６１が閉弁される。
【００２８】
雄ねじ部７２は、駒弁７１よりも大径であり、上述した止水孔部６１３の雌ねじ部６１３ｃに螺合する。これにより、第１流路６１の軸Ｘ方向における止水栓部材７の位置が調整されるとともに、第１流路６１内に止水栓部材７が取り付け固定される。即ち、止水栓部材７は、雄ねじ部７２と雌ねじ部６１３ｃとの螺合により、第１流路６１の軸Ｘ方向に進退し、駒弁７１が弁座６１３ｂに着座又は脱座することにより、第１流路６１を開閉する。
【００２９】
軸部材７３は、略円柱状に形成されている。軸部材７３は、ストレーナ８と供回りしないように、ストレーナ８とは異なるピッチを有している。軸部材７３の下流端部（図４における軸部材７３の上端部）は、四角柱形状部７５を有している。四角柱形状部７５の下流端部である軸部材７３の下流端部（図４における軸部材７３の上端部）は、Ｃ面取り形状を有する面取り部７５ａを有している。面取り部７５ａは、四角柱形状部の下流端部である四角柱形状を有する四角柱形状部７５の４つの角部にそれぞれ存在しており、４つの角のいずれもが、全周に渡って大きくＣ面取りされた形状を有している。面取り部７５ａの面取り形状は、Ｃ面取り形状に限定されず、Ｒ面取り形状であってもよい。また、軸部材７３の下流側の外周には、Ｏリング７３ｂが取り付けられている。これにより、軸部材７３と後述するストレーナホルダ８４との密閉性が確保される。
【００３０】
ストレーナ８は、第１流路６１の下流側（下流端）から第１流路６１の内周面に沿って軸Ｘ方向に挿入され、第１流路６１内に脱着可能に取り付けられる。ストレーナ８は、ストレーナ本体８１と、連結部８２と、ゴミキャッチリング８３と、ストレーナホルダ８４と、を有する。ストレーナ８は、円筒状に形成され、第１流路６１の上流側から流れ込む流水を、その内側から外側（後述のメッシュ８１３）に通過させて第２流路６２に導くことで、流水中の異物を除去する。
【００３１】
ストレーナ本体８１は、略円筒状に形成される。ストレーナ本体８１は、小径部８１１と、大径部８１２と、メッシュ８１３と、を有する。
【００３２】
小径部８１１は、ストレーナ８の挿入方向の先端側、即ちストレーナ本体８１の上流側を構成し、略円環状に形成される。この小径部８１１は、後述する大径部８１２よりも小径となっている。なお、この小径部８１１の内周には、後述するゴミキャッチリング８３が脱着可能に取り付けられる。また、小径部８１１の外周には、円環状のＯリング８１ａが取り付けられており、これにより、第１流路６１とストレーナ８との密閉性が確保される。
【００３３】
大径部８１２は、ストレーナ８の挿入方向の基端側、即ちストレーナ本体８１の下流側を構成し、上述の小径部８１１より大径となっている。より詳しくは、大径部８１２は、小径部８１１の外周に取り付けられたＯリング８１ａの外径よりも大径となっている。この大径部８１２は、リブ８１２ａと、円環状部８１２ｂと、を有する。
【００３４】
リブ８１２ａは、周方向に略等間隔で４つ設けられている。これらのリブ８１２ａは、ストレーナ８の軸Ｘ方向、即ちストレーナ８の挿入方向に延び、上述の小径部８１１と後述する円環状部８１２ｂとを連結する。円環状部８１２ｂは、上述の小径部８１１よりも大径となっている。
【００３５】
小径部８１１の内径と、大径部８１２の内径は、略同一となっている。即ち、小径部８１１の内周面と、大径部８１２のリブ８１２ａ及び円環状部８１２ｂの内周面は、互いに連なって形成されている。従って、大径部８１２のリブ８１２ａが従来よりも肉厚となっており、ストレーナ８の強度が向上している。
【００３６】
また、図６等に示すように、ストレーナ８の小径部８１１と大径部８１２との境界には、下流側ほど拡径するテーパ状のテーパ部（図示せず）が形成されている。上述したように、第１流路６１を構成する下流側流路６１２の内周形状はストレーナ８の外周形状に沿った形状となっている。即ち、ストレーナ８は、第１流路６１の下流側流路６１２の内径に沿った外径を有する。そのため、下流側流路６１２を構成する小径流路６１２ａと大径流路６１２ｂとの境界にも、上記テーパ部（図示せず）と同じ傾斜角度のテーパ部６１２ｄ（図示せず）が形成されている。これにより、ストレーナ８を挿入する際に、小径部８１１を上流側によりガイドし易くなっている。
【００３７】
図４に示すように、メッシュ８１３は、上述の４つのリブ８１２ａの内周を覆うと共に、４つのリブ８１２ａと、小径部８１１と、円環状部８１２ｂと、によって囲まれる空間を塞ぐように設けられる。メッシュ８１３は濾過材として機能する。メッシュ８１３としては、樹脂製や金属製のものが用いられる。
【００３８】
連結部８２は、略円筒状に形成され、上述のストレーナ本体８１よりもその外径が小径である。連結部８２は、後述するストレーナホルダ８４の雄ねじ部８４１の内径と略同一の外径を有し、雄ねじ部８４１の内周に嵌合することで、連結部８２にストレーナホルダ８４が取り付け固定される。連結部８２の外周には、円環状のＯリング８２ａが取り付けられており、これにより、連結部８２とストレーナホルダ８４との密閉性が確保される。円環状のＯリング８２ａは、連結部８２とストレーナホルダ８４との間で潰された状態となっているが、この潰れの度合い（潰れ量）は、Ｏリング８１ａの潰れ量よりも大きい。このように潰れ量に差を有するように構成することにより、後述のように、ストレーナホルダ８４を回転させてストレーナ８を本体部６から取外そうとする際に、ストレーナホルダ８４からストレーナ本体８１が外れて、ストレーナホルダ８４が本体部６から取外され、ストレーナ本体８１が本体部６の第１流路６１に残留することを防止する。
【００３９】
ゴミキャッチリング８３は、ストレーナ本体８１を構成する小径部８１１の先端内周に脱着可能に取り付けられる。ゴミキャッチリング８３は、下流側に開口する円環状の溝部８３ａが形成された円環状部材により形成される。このゴミキャッチリング８３により、ストレーナ８のメッシュ８１３等から剥がれ落ちるゴミを溝部８３ａで受けることで、第１流路６１内の止水孔部６１３等にゴミが侵入するのが抑制される。
【００４０】
ストレーナホルダ８４は、略円筒状に形成される。ストレーナホルダ８４の上流側の外周には、雄ねじ部８４１が形成されている。この雄ねじ部８４１は、上述した下流側流路６１２の雌ねじ部６１２ｃに螺合する。なお、この雄ねじ部８４１の内周には、上述のストレーナ８の連結部８２がＯリング８２ａを介して嵌合される。雄ねじ部８４１の下流側は、下流側流路６１２の雌ねじ部６１２ｃよりも下流側の本体部６の部分に、Ｏリング８４３を介して嵌合される。Ｏリング８４３よりも下流側のストレーナホルダ８４の部分は、フランジ部８４４を有している。フランジ部８４４は、第１流路６１を成形している本体部６の部分の上端の開口周縁部に当接している。ストレーナホルダ８４の下流端部（図６に示すフランジ部８４４よりも上側のストレーナホルダ８４の部分）の全体は、本体部６の外部に配置されている。
【００４１】
また、ストレーナホルダ８４の下流端面には、円孔８４ａが形成されている。円孔８４ａは、略円筒状のストレーナホルダ８４の内径よりも大きな内径を有している。ストレーナホルダ８４には、円孔８４ａを通して止水栓部材７が挿通されており、止水栓部材７の下流端は、軸Ｘ方向において、円孔８４ａの下流端と略同一位置にある。
【００４２】
ストレーナホルダ８４のフランジ部８４４よりも下流であって、フランジ部８４４とストレーナホルダ８４の下流端面との中央部よりも下流側に位置している、ストレーナホルダ８４の下流端部は、軸Ｘ方向に直交するように平行に切りかかれたような平行切欠き状部８４６を有している。平行切欠き状部８４６は、工具を用いずに作業者の手で把持されて手動で回転させることができるストレーナ操作部を構成する。ストレーナ操作部が作業者の手動により回転させられることにより、ストレーナ８は、直接第１流路に対して脱着操作される。より具体的には、平行切欠き状部８４６は、円孔８４ａの直径よりも広い幅を有する平行な一対の面８４６ａを有している。平行切欠き状部８４６を作業者は、手の指で容易に摘まむことができ、手動でストレーナホルダ８４を回転可能である。
【００４３】
止水操作部としてのハンドル部９は、一端部が天板９２により閉塞され天板９２と一体成形された円筒形状部９１を有しており、工具を用いずに作業者が手動でハンドル部９を直接回転操作可能である。円筒形状部９１の周面には、めっきが施されており、また、リブ９３が円筒形状部９１と一体成形されて設けられている。リブ９３は、円筒形状部９１の軸方向へ、円筒形状部９１の軸方向における一端部から他端部に至るまで延びており、円筒形状部９１の周方向へ等間隔で３つ存在している。リブ９３が存在している円筒形状部９１の内周面の部分は、リブ９３の形状に倣うように、円筒形状部９１の半径方向外方へ突出している。リブ９３の存在により、作業者が手動で直接ハンドル部９を把持して回転させる際に滑りにくく、作業者による手動の回転を容易とする。
【００４４】
円筒形状部９１の内部には、一端部が天板９２の中央部分によって閉塞され天板９２の中央部分と一体成形された嵌合円筒状部９４が存在する。嵌合円筒状部９４は、円筒形状部９１と同軸的な位置関係を有しており、嵌合円筒状部９４の他端部から、止水栓部材７の他端部を挿入可能である。嵌合円筒状部９４の他端部から、止水栓部材７の他端部である軸部材７３の下流端部が挿入されて、ハンドル部９は、止水栓部材７の他端部に９脱着可能に嵌合されて取付けられている。
【００４５】
嵌合円筒状部９４の一端部近傍の内周面の部分には、奥側当接壁部９４１が設けられている。奥側当接壁部９４１は、嵌合円筒状部９４と一体成形されて、嵌合円筒状部９４の内周面の周方向へ等間隔で４つ設けられている。対向する位置関係にある奥側当接壁部９４１同士の距離は、四角柱形状を有する軸部材７３の下流端部の、対向する位置関係にある側面同士間の距離よりも長い。従って、嵌合円筒状部９４に軸部材７３の下流端部が挿入されて嵌合円筒状部９４の一端部近傍に位置するときに、軸部材７３の下流端部は、４つの奥側当接壁部９４１との間に隙間が形成された状態で挿入される。
【００４６】
嵌合円筒状部９４の他端近傍の内周面の部分には、開口寄り当接壁部９４２が設けられている。開口寄り当接壁部９４２は、嵌合円筒状部９４と一体成形されて、嵌合円筒状部９４の内周面の周方向へ等間隔で４つ設けられている。対向する位置関係にある開口寄り当接壁部９４２同士の距離は、四角柱形状を有する軸部材７３の下流端部であって、前述のように、４つの奥側当接壁部９４１の間に挿入された軸部材７３の下流端部よりも上流側の軸部材７３の円柱状の部分７３ａ（図４に示す四角柱形状部７５よりも図４の下方に位置する軸部材７３の円柱状の部分７３ａ）の直径よりも僅かに短い。また、開口寄り当接壁部９４２は、奥側当接壁部９４１よりも嵌合円筒状部９４の内周面からの開口寄り当接壁部９４２の半径方向内方への突出量が小さい。
【００４７】
従って、４つの開口寄り当接壁部９４２の間の空間は広く確保されており、嵌合円筒状部９４に軸部材７３の下流端部が挿入され始めたときには、軸部材７３の下流端部のＣ面取り形状と相まって、嵌合円筒状部９４への軸部材７３の下流端部の挿入を容易とする。そして、更に嵌合円筒状部９４の奥へ軸部材７３の下流端部が挿入されてゆく際には、開口寄り当接壁部９４２は、軸部材７３の下流端部よりも上流側の円柱状の部分７３ａに当接可能であり、この当接は、開口寄り当接壁部９４２に軸部材７３の下流端部よりも上流側の円柱状の部分７３ａが圧入されることにより行われる。そして、当接壁部９４２が、円柱状の部分７３ａに形成されたＶ溝７３ｃに嵌合することにより、軸部材７３に開口寄り当接壁部９４２は固定される。また、軸部材７３の下流端部の四角柱形状部７５が嵌合円筒状部９４に挿入されてゆき、開口寄り当接壁部９４２に接触（当接）することにより、４つの奥側当接壁部９４１の間への軸部材７３の下流端部の挿入を容易とする。
【００４８】
従って、嵌合円筒状部９４に軸部材７３の下流端部が挿入されて嵌合円筒状部９４の一端部近傍に位置して、軸部材７３の下流端部にハンドル部９が取付けられているときに、本体部６から本体部６の外部へ配置されているストレーナホルダ８４の平行切欠き状部８４６は、ハンドル部９によって覆われて隠された状態となっている。ハンドル部９が軸部材７３の下流端部から引き抜かれてゆき、軸部材７３の下流端部から外れる直前まで、ストレーナホルダ８４の平行切欠き状部８４６は、ハンドル部９によって覆われて隠された状態となっている。また、平行切欠き状部８４６よりも第１流路６１の上流側（図４の平行切欠き状部８４６の下側）におけるストレーナホルダ８４の部分は、平行に切りかかれたような平行切欠き状部を有しておらず、円柱形状の部分を有している。これにより、この円柱形状の部分と平行切欠き状部８４６との接続位置には、段差８４７が存在する。このように段差８４７が設けられ、段差８４７よりも上流側には平行切欠き状部８４６のような切欠きが形成されていないことにより、平行切欠き状部８４６は、ハンドル部９が回転させられて第１流路６１が開弁している状態であっても、ハンドル部９の外部から見えない状態となっている。
【００４９】
以上の構成を備える本実施形態に係る止水栓装置５０において、駒弁７１により、第１流路６１が閉弁／開弁される動作について説明する。
先ず、止水栓装置５０において第１流路６１を閉弁する際には、止水栓装置５０を操作する作業者は、作業者の手でハンドル部９を把持し、手動でハンドル部９を回転させる。これにより、ハンドル部９に嵌合している軸部材７３が、駒弁７１と一体的に回転し、第１流路６１の上流側（第１流路６１の軸Ｘ方向）へ移動する。そして、図６に示すように、駒弁７１が弁座６１３ｂに着座することにより、第１流路６１が閉弁される。
【００５０】
この状態から、第１流路６１を開弁する際には、止水栓装置５０を操作する作業者は、作業者の手でハンドル部９を把持し、ハンドル部９を先程とは逆の方向へ回転させる。これにより、ハンドル部９に嵌合している軸部材７３が、駒弁７１と一体的に回転し、第１流路６１の下流側へ移動する。そして、図７示すように、駒弁７１が弁座６１３ｂから脱座することにより、第１流路６１が開弁される。
【００５１】
次に、例えば、メンテナンスでストレーナ８の異物を取り除き、その後、止水栓装置５０にストレーナ８を取り付ける際の手順について、説明する。
先ず、前述の、止水栓装置５０において第１流路６１を閉弁する際と同様に、作業者の手でハンドル部９を把持し、ハンドル部９を回転させて、駒弁７１を弁座６１３ｂに着座させることにより、図６に示すように、第１流路６１を閉弁する。次に、軸部材７３の下流端部に嵌合しているハンドル部９を、軸部材７３の下流端部から引き抜き、軸部材７３から取外す。これにより、図５に示すように、ストレーナホルダ８４が露出し、メンテナンスを行う作業者の手でストレーナホルダ８４を把持可能な状態となる。
【００５２】
次に、作業者は、作業者の手でストレーナホルダ８４の平行切欠き状部８４６（ストレーナ操作部）を把持し、手動でストレーナホルダ８４を回転させる。これにより、ストレーナ本体８１は、ストレーナホルダ８４と一体的に回転し、第１流路６１の下流側へ移動し、図８に示すように、第１流路６１を形成している本体部６の上端部から取外される。そして作業者は、ストレーナ８のメッシュ８１３に付着している異物を取り除く。
【００５３】
その後、止水栓装置５０にストレーナ８を取り付ける際には、先ず、ストレーナホルダ８４が取付けられた状態のストレーナ本体８１を、図８に示す第１流路６１を形成している本体部６の上端部の開口から挿入する。この際、筒状を有するストレーナ本体８１の内周面により形成される空間に、四角柱形状を有する軸部材７３の下流端部が、ストレーナ本体８１と同軸的な位置関係となるように、ストレーナ本体８１を本体部６の上端部の開口から挿入する。次に、作業者は、作業者の手でストレーナホルダ８４の平行切欠き状部８４６（ストレーナ操作部）を把持し、先程とは逆の方向へ、手動でストレーナホルダ８４を回転させる。これにより、ストレーナ本体８１は、ストレーナホルダ８４と一体的に回転し、第１流路６１の上流側へ移動し、ストレーナ本体８１及びストレーナホルダ８４は、第１流路６１において本体部６に固定される。
【００５４】
次に、ハンドル部９の嵌合円筒状部９４に、軸部材７３の下流端部（四角柱形状部７５）を挿入し、嵌合させて、軸部材７３の下流端部にハンドル部９を固定する。次に、前述の、止水栓装置５０において第１流路６１を開弁する際と同様に、作業者の手でハンドル部９を把持し、ハンドル部９を回転させて、図７に示すように、駒弁７１を弁座６１３ｂから脱座させることにより、第１流路６１を開弁する。
【００５５】
上記構成の実施形態による便器装置１００によれば、以下のような効果を得ることができる。
止水栓装置５０は、第１流路６１と、第１流路６１の下流側に連通し第１流路６１と交差する方向に延びる第２流路６２と、を内部に有する本体部６と、第１流路６１に脱着可能に取り付けられ、第１流路６１の上流側から流れ込む流水をその外周に設けられた濾過材としてのメッシュ８１３の内側から外側に通過させて第２流路６２に導くことで流水中の異物を除去する筒状のストレーナ８と、ストレーナ８よりも上流側からストレーナ８の内側にまで延びて設けられ、一端部が第１流路６１を開閉する止水栓部材７と、止水栓部材７の他端部に取付けられた止水操作部としてのハンドル部９と、を備える。ストレーナ８は、工具を用いずに作業者が手動で直接第１流路に対してストレーナ８を脱着操作可能とし本体部６の外部に配置されるストレーナ操作部としての平行切欠き状部８４６を有するストレーナホルダ８４を有する。
【００５６】
この構成により、工具を用いずに作業者が手動でハンドル部９を回転させることにより、止水栓部材７の駒弁７１によって第１流路６１を閉弁した後に、作業者が手動でハンドル部９を軸部材７３から取外し、露出した平行切欠き状部８４６を、工具を用いずに作業者が手動で回転させることにより、ストレーナ８を本体部６から取外すことができる。
【００５７】
また、止水操作部としてのハンドル部９は、工具を用いずに作業者が手動で直接操作可能であり、止水栓部材７の他端部の軸部材７３の下流端部に脱着可能に嵌合されて取付けられている。この構成により、工具を用いずに作業者が手動でハンドル部９を軸部材７３から取外すことができる。このため、ハンドル部９を予め取外した後に、ストレーナ８を取外すことができるため、濡れたストレーナ８の水によりハンドル部９が濡れてしまい、めっきが施されたハンドル部９の周面が滑りやすくなることを防止することができる。また、ハンドル部９を軸部材７３に固定するためのビス等を用いなくてよいため、ハンドル部９を止水栓部材７の上端部に固定するためのビスが、ハンドル部９の上端部に露出することはなく、意匠性を高めることができる。
【００５８】
また、止水栓部材７の他端部としての軸部材７３の下流端部は、多角柱形状としての四角柱形状を有している。止水操作部としてのハンドル部９は、一端が閉塞され他端から軸部材７３の下流端部を挿入可能な嵌合円筒状部９４を有している。嵌合円筒状部９４の一端近傍の内周面の部分には、軸部材７３の下流端部が嵌合円筒状部９４に挿入されて嵌合円筒状部９４の一端近傍に位置するときに、軸部材７３の下流端部の側面に当接する奥側当接壁部９４１が設けられている。嵌合円筒状部９４の他端近傍の内周面の部分には、軸部材７３の下流端部の側面に当接可能であり、奥側当接壁部９４１よりも嵌合円筒状部９４の内周面からの嵌合円筒状部９４の半径方向内方への突出量が小さい開口寄り当接壁部９４２が設けられている。
【００５９】
この構成により、嵌合円筒状部９４に軸部材７３の下流端部が挿入され始めたときには、嵌合円筒状部９４に軸部材７３の下流端部を挿入しやすくすることができる。そして、更に、嵌合円筒状部９４の奥へ軸部材７３の下流端部を挿入する際には、開口寄り当接壁部９４２が軸部材７３の下流端部の側面に当接し、開口寄り当接壁部９４２に軸部材７３の下流端部がガイドされ、奥側当接壁部９４１の間への軸部材７３の下流端部の挿入を容易とすることができる。
【００６０】
また、止水栓部材７の他端部としての軸部材７３の下流端部は、Ｒ面取り形状又はＣ面取り形状を有している。この構成により、メンテナンス等によりストレーナ８を本体部６から取外したり本体部６に取付けたりする際に、略円筒形状を有するストレーナ８の内周面により形成された空間に、軸部材７３の下流端部を挿入したときに、メッシュ８１３を軸部材７３の下流端部で損傷することを防止することができる。
【００６１】
また、止水操作部としてのハンドル部９が止水栓部材７の他端部しての軸部材７３の下流端部に取付けられているときに、ストレーナホルダ８４のストレーナ操作部としての平行切欠き状部８４６は、ハンドル部９によって覆われている。この構成により、ハンドル部９が軸部材７３の下流端部に取付けられているときに、平行切欠き状部８４６を隠すことができ、意匠性を高めることができる。また、作業者がハンドル部９を回転させようとして、誤って平行切欠き状部８４６を操作してしまうことを防止することができる。
【００６２】
本発明は上記実施形態に限定されるものではなく、本発明の目的を達成できる範囲での変形、改良等は本発明に含まれる。例えば、上記実施形態では、第１流路６１と第２流路６２が互いに直交する構成としたが、これに限定されない。これら流路が互いに交差していればよい。また、本実施形態に係る止水栓装置５０は、便器装置へ供給される水の流路に用いられていたが、これに限定されない。例えば、止水栓装置は、キッチン等における水の流路に用いられてもよいし、また、床に限定されず、壁に配置されていてもよい。
【００６３】
また、ストレーナホルダ８４の下流端部は、平行切欠き状部８４６を有していたが、この構成に限定されない。ストレーナホルダの下流端部は、作業者が手動で操作可能な形状であればよい。例えば、ハンドル部９のリブ９３と同様に、軸Ｘ方向へ延びるリブが、ストレーナホルダの下流端部の周面に設けられていてもよい。
【００６４】
また、ハンドル部９の周面には、３つのリブ９３が存在していたが、この構成に限定されない。ハンドル部は、作業者が手動で直接ハンドルを把持して回転させる際に滑りにくく、作業者による手動の回転を容易とする構成を有していればよい。また、ストレーナ８は、ストレーナ本体８１と、連結部８２と、ゴミキャッチリング８３と、ストレーナホルダ８４と、を有していたが、この構成に限定されない。例えば、ストレーナ本体８１及び連結部８２と、ストレーナホルダ８４と、は別体で構成されず、一体的に成形等されて構成されていてもよい。また、軸部材７３の下流端部は、四角柱形状部７５を有していたが、この構成に限定されない。軸部材の下流端部は、四角柱形状部７５に代えて、六角柱形状部や三角柱形状部を有してよい。また、開口寄り当接壁部９４２は、４つ設けられていたが、４つに限定されない。
【００６５】
また、本実施形態では、当接壁部９４２が円柱状の部分７３ａに形成されたＶ溝７３ｃに嵌合することにより、軸部材７３に開口寄り当接壁部９４２が固定されたが、この構成に限定されない。例えば、開口寄り当接壁部９４２がＶ溝７３ｃに嵌合されずに、開口寄り当接壁部９４２に円柱状の部分７３ａが圧入されて固定されてでも良く、また、ハンドル部の側に溝が形成され、軸部材の側に凸部が設けられ、当該凸部が当該溝に嵌合することにより、ハンドル部が軸部材に固定されてもよい。
【符号の説明】
【００６６】
６…本体部
７…止水栓部材
８…ストレーナ
８ａ…開口面
９…ハンドル部（止水操作部）
５０…止水栓装置
６１…第１流路
６２…第２流路
７５…四角柱形状部
７５ａ…面取り部
９４…嵌合円筒状部
７３４…テーパ部（ガイド部）
８１３…メッシュ（濾過材）
８４６…平行切欠き状部（ストレーナ操作部）
９４１…奥側当接壁部
９４２…開口寄り当接壁部
【図１】
2017060929.tif 000003
【図２】
2017060929.tif 000004
【図３】
2017060929.tif 000005
【図４】
2017060929.tif 000006
【図５】
2017060929.tif 000007
【図６】
2017060929.tif 000008
【図７】
2017060929.tif 000009
【図８】
2017060929.tif 000010
【図９】
2017060929.tif 000011
【図１０】
2017060929.tif 000012